(57)【特許請求の範囲】
【請求項１】
エレベーターの各かごの位置情報を受信する受信部と、
前記各かごの位置に対応した階を表す複数の存在階記号を、前記各かごの位置関係に応じた順番で並べて表示させ、前記存在階記号の各々に対応付けて、前記各かごを表すかご記号を表示させる表示制御部と、
を備え、
前記表示制御部は、前記各かごの位置に対応した階の間の階に対して前記複数の存在階記号の間に割り当てる表示領域に対し、前記各かごの位置に対応した階間の階を１つの階として集約した記号で表示させることを特徴とするエレベーターの監視装置。
【請求項２】
前記表示制御部は、最端階を表す最端階記号の間に、前記複数の存在階記号を表示させ、
最も前記最端階側のかごに対応した階と前記最端階との間の階に対して最も前記最端階側のかごに対応した階を表す存在階記号と前記最端階記号との間に割り当てる表示領域に対し、最も前記最端階側のかごに対応した階と前記最端階との間の階を１つの階として集約した記号で表示させることを特徴とする請求項１記載のエレベーターの監視装置。
【請求項３】
前記表示制御部は、前記かごの位置の変化に応じて、前記存在階記号の表示、前記かご記号の表示、前記表示領域を変化させることを特徴とする請求項１又は請求項２に記載のエレベーターの監視装置。
【請求項４】
前記表示制御部は、前記表示領域を割り当てた階にかご呼びが発生したときは、前記表示領域に対応付けて、前記かご呼びを表す記号を表示させることを特徴とする請求項１〜請求項３のいずれかに記載のエレベーターの監視装置。
【請求項５】
前記表示制御部は、前記表示領域に、前記表示領域を割り当てた階の数を表す記号を表示させることを特徴とする請求項１〜請求項４のいずれかに記載のエレベーターの監視装置。
【請求項６】
前記表示制御部は、前記表示領域を割り当てた階を所定の階床数毎に分割した各々に対し、前記表示領域を分割して割り当てることを特徴とする請求項１〜請求項５のいずれかに記載のエレベーターの監視装置。
【請求項７】
前記表示制御部は、前記表示領域を消去することを特徴とする請求項１又は請求項２に記載のエレベーターの監視装置。
【発明の詳細な説明】
【技術分野】
【０００１】
この発明は、エレベーターのかごの位置を表示させるエレベーターの監視装置に関するものである。
【背景技術】
【０００２】
エレベーターの監視装置として、エレベーターのかごの位置や状態等を表示するものが提案されている。これらの表示によって、エレベーターの状態を監視することができる（例えば、特許文献１〜３参照）。
【先行技術文献】
【特許文献】
【０００３】
【特許文献１】日本特公平７−８０６５４号公報
【特許文献２】日本特開平３−１４７６９０号公報
【特許文献３】日本特開平８−２３１１４９号公報
【０００４】
特許文献１に記載のものは、昇降路画面（立面図）を表示させる。この昇降路画面には、エレベーターの停止階を表す記号が並んで表示される。これらの記号のいずれかに、かごを表す記号が対応付けて表示される。これにより、ビルの何階にかごがいるのかを視覚的に確認することができる。
【発明の概要】
【発明が解決しようとする課題】
【０００５】
しかしながら、特許文献１に記載のものにおいては、エレベーターの停止階が多くなった場合、昇降路画面全体を縮小表示したり、スクロール表示させたりする必要がある。このため、１つの画面でエレベーターのかご同士の位置関係を把握することが難しくなる。【０００６】
この発明は、上述のような課題を解決するためになされたもので、その目的は、昇降路画面全体を縮小表示したり、スクロール表示させたりすることなく、エレベーターのかご同士の位置関係を把握することができるエレベーターの監視装置を提供することである。
【課題を解決するための手段】
【０００７】
この発明に係るエレベーターの監視装置は、エレベーターの各かごの位置情報を受信する受信部と、前記各かごの位置に対応した階を表す複数の存在階記号を、前記各かごの位置関係に応じた順番で並べて表示させ、前記存在階記号の各々に対応付けて、前記各かごを表すかご記号を表示させる表示制御部と、を備え、前記表示制御部は、前記各かごの位置に対応した階の間の階に対して前記複数の存在階記号の間に割り当てる表示領域に対し、前記各かごの位置に対応した階間の階を１つの階として集約した記号で表示させるものである。
【発明の効果】
【０００８】
この発明によれば、昇降路画面全体を縮小表示したり、スクロール表示させたりすることなく、エレベーターのかご同士の位置関係を把握することができる。
【図面の簡単な説明】
【０００９】
【図１】この発明の実施の形態１におけるエレベーターの監視装置が利用されるエレベーターの構成図である。
【図２】この発明の実施の形態１におけるエレベーターの監視装置のブロック図である。
【図３】この発明の実施の形態１におけるエレベーターの監視装置を利用したときのモニタの表示を説明するための図である。
【図４】この発明の実施の形態１におけるエレベーターの監視装置を利用したときのモニタの表示を説明するための図である。
【図５】この発明の実施の形態１におけるエレベーターの監視装置を利用したときのモニタの画面の変化を説明するための図である。
【図６】この発明の実施の形態１におけるエレベーターの監視装置を利用したときのモニタの画面の変化を説明するための図である。
【図７】この発明の実施の形態１におけるエレベーターの監視装置を利用したときのモニタの画面の変化を説明するための図である。
【図８】この発明の実施の形態１におけるエレベーターの監視装置を利用したときのモニタの画面の変化を説明するための図である。
【図９】この発明の実施の形態１におけるエレベーターの監視装置を利用したときのモニタの画面の変化を説明するための図である。
【図１０】この発明の実施の形態１におけるエレベーターの監視装置を利用したときのモニタの画面の変化を説明するための図である。
【図１１】この発明の実施の形態１におけるエレベーターの監視装置を利用したときのモニタの画面の変化を説明するための図である。
【図１２】この発明の実施の形態１におけるエレベーターの監視装置を利用したときのモニタの画面の変化を説明するための図である。
【図１３】この発明の実施の形態１におけるエレベーターの監視装置を利用したときのモニタの画面の変化を説明するための図である。
【図１４】この発明の実施の形態１におけるエレベーターの監視装置を利用したときのモニタの画面の変化を説明するための図である。
【図１５】この発明の実施の形態２におけるエレベーターの監視装置を利用したときのモニタの表示を説明するための図である。
【図１６】この発明の実施の形態２におけるエレベーターの監視装置を利用したときのモニタの表示を説明するための図である。
【図１７】この発明の実施の形態３におけるエレベーターの監視装置を利用したときのモニタの画面の変化を説明するための図である。
【図１８】この発明の実施の形態３におけるエレベーターの監視装置を利用したときのモニタの画面の変化を説明するための図である。
【図１９】この発明の実施の形態３におけるエレベーターの監視装置を利用したときのモニタの画面の変化を説明するための図である。
【図２０】この発明の実施の形態３におけるエレベーターの監視装置を利用したときのモニタの画面の変化を説明するための図である。
【発明を実施するための形態】
【００１０】
この発明を実施するための形態について添付の図面に従って説明する。なお、各図中、同一又は相当する部分には同一の符号を付しており、その重複説明は適宜に簡略化ないし省略する。
【００１１】
実施の形態１．
図１はこの発明の実施の形態１におけるエレベーターの監視装置が利用されるエレベーターの構成図である。
図１において、１は複数のエレベーター制御装置である。これらのエレベーター制御装置１は、高層ビルに設置された複数のエレベーターの各々を制御する機能を備える。これらのエレベーター制御装置１は、エレベーター監視装置２に接続される。
【００１２】
このエレベーター監視装置２は、各エレベーター制御装置１から各エレベーターのかごの位置や戸等の状態に関するデータを受信する機能を備える。このエレベーター監視装置２は、各エレベーターのかごの位置や状態に関する情報に基づいて、エレベーターのバンク全体を監視する機能を備える。このエレベーター監視装置２には、モニタ３が接続される。このモニタ３は、エレベーターの監視画面を表示する機能を備える。
【００１３】
次に、図２を用いて、エレベーター監視装置２を説明する。
図２はこの発明の実施の形態１におけるエレベーターの監視装置のブロック図である。
エレベーター監視装置２は、ＰＣ（パーソナルコンピュータ）式のものである。このエレベーター監視装置２は、エレベーター状態データ受信部４、記憶部５、監視画面データ作成部６、監視画面データ出力部７を備える。
【００１４】
エレベーター状態データ受信部４は、エレベーター制御装置１から各エレベーターのかごの位置や状態に関するデータを受信する機能を備える。記憶部５は、エレベーター状態データ受信部４に受信された各エレベーターのかごの位置や状態に関するデータを記憶する機能を備える。
【００１５】
監視画面データ作成部６と監視画面データ出力部７は、モニタ３の表示を制御する表示制御部として機能する。具体的には、監視画面データ作成部６は、記憶部５に記憶された各エレベーターのかごの位置や状態に関するデータに基づいて、監視画面データを作成する機能を備える。監視画面データ出力部７は、監視画面データ作成部６に作成された監視画面データをモニタ３に出力する機能を備える。
【００１６】
次に、図３と図４とを用いて、監視画面データに基づいたモニタ３の表示を説明する。
図３と図４はこの発明の実施の形態１におけるエレベーターの監視装置を利用したときのモニタの表示を説明するための図である。
【００１７】
図３に示すように、モニタ３には、昇降路を模した昇降路画面（立面図）が表示される。具体的には、モニタ３の画面左側上部に、階床表示領域８が形成される。この階床表示領域８の右側に接して、Ｎｏ．１のエレベーター名称表示領域９が形成される。このエレベーター名称表示領域９の右側に接して、Ｎｏ．２のエレベーター名称表示領域１０が形成される。このエレベーター名称表示領域１０の右他側に接して、Ｎｏ．３のエレベーター名称表示領域１１が形成される。そして、階床表示領域８と各エレベーター名称表示領域９〜１１との下方に接して、マトリクス領域１２が形成される。
【００１８】
階床表示領域８には、「階床」が表示される。各エレベーター名称表示領域９〜１１には、それぞれ、各エレベーターの名称として、「Ｎｏ．１」、「Ｎｏ．２」、「Ｎｏ．３」が表示される。階床表示領域８の下方のマトリクス領域１２には、各階の鉛直方向の位置関係に応じた順番で、各階を表す記号が鉛直方向に並んで表示される。
【００１９】
階床表示領域８の下方かつマトリクス領域１２の最下部には、最端階記号１３が表示される。この最端階記号１３は、最下階を表す。具体的には、最端階記号１３として、「１Ｆ」が表示される。一方、階床表示領域８の下方かつマトリクス領域１２の最上部には、最端階記号１４が表示される。この最端階記号１４は、最上階を表す。具体的には、最端階記号１４として、「６４Ｆ」が表示される。
【００２０】
最端階記号１３と最端階記号１４との間には、存在階記号１５が表示される。この存在階記号１５は、各かごの位置に対応した階を表す。具体的には、Ｎｏ．１〜Ｎｏ．３のかごに対応した存在階記号１５として、「１０Ｆ」が表示される。
【００２１】
存在階記号１５の水平方向かつ各エレベーター名称表示領域９〜１１の下方のマトリクス領域１２には、かご記号が表示される。これらのかご記号は、各かごを表す。具体的には、「１０Ｆ」の水平方向かつ「Ｎｏ．１」の下方には、Ｎｏ．１のかごを表すかご記号が表示される。また、「１０Ｆ」の水平方向かつ「Ｎｏ．２」の下方には、Ｎｏ．２のかごを表すかご記号が表示される。さらに、「１０Ｆ」の水平方向かつ「Ｎｏ．３」の下方には、Ｎｏ．３のかごを表すかご記号が表示される。
【００２２】
ここで、戸閉状態のかごは、かご記号１６で表示される。このかご記号１６は、横長の矩形の中央に縦線が入ったものである。この縦線により、かごの戸が閉まっている状態を表している。一方、戸開状態のかごは、かご記号１７で表示される。このかご記号１７は、横長の矩形の両側辺内側に、縦線が入ったものである。これらの縦線により、かごの戸が開いている状態を表している。
【００２３】
かごの進行方向は、進行方向記号１８で表される。この進行方向記号１８は、かご記号１６の上部又は下部に接して表示される。かご記号１６の上部に接する場合、進行方向記号１８は、上側に頂点を有する三角形となる。この三角形の向きにより、かごが上昇していることを表している。一方、かご記号１６の下部に接する場合、進行方向記号１８は、下側に頂点を有する三角形となる。この三角形の向きにより、かごが下降していることを表している。
【００２４】
各エレベータに対してかご呼びが発生した場合、各エレベーター名称表示領域９〜１１の下方では、かご呼び記号１９が表示される。例えば、Ｎｏ．１のエレベーターに対して最上階のかご呼びが発生した場合、図３に示すように、「６４Ｆ」の水平方向かつ「Ｎｏ．１」の下方に、円形のかご呼び記号１９が表示される。
【００２５】
本実施の形態においては、各かごの位置に対応した階間の階は、１つの階として集約される。具体的には、各かごの位置に対応した階間の階に対して、存在階記号１５の間に、１つの中間階表示領域が割り当てられる。この中間階表示領域は、各かごの位置に対応した階間の階の各々を表す複数の記号を並べて表示させる場合の領域よりも、鉛直方向に圧縮される。
【００２６】
同様に、最下階と最も最下階側のかごに対応した階との間の階に対しても、最端階記号１３と最も最下階側のかごに対応した階を表す存在階記号１５との間に、１つの中間階表示領域が割り当てられる。また、最も最上階側のかごに対応した階と最上階との間の階に対しても、最も最上階側のかごに対応した階を表す存在階記号１５と最端階記号１４に、１つの中間階表示領域が割り当てられる。
【００２７】
さらに、これらの中間階表示領域の水平方向、かつ、各エレベーター名称表示領域９〜１１の下方にも、それぞれ、１つの領域が割り当てられる。
【００２８】
中間階表示領域には、上下の領域に表示された存在階記号１５等で表される階の間に存在する階床数が表示される。この際、階床数は、かっこで囲まれる。このかっこにより、中間階表示領域内の表示は、最端階記号１３、１４や存在階記号１５と区別される。
【００２９】
本実施の形態においては、各かごの位置の変化に応じて、マトリクス領域１２が鉛直方向に増減する。具体的には、各かごの位置の変化に応じて、存在階記号１５の表示がリアルタイムに変化する。これに伴い、中間階表示領域も、リアルタイムに変化する。これに伴い、中間階表示領域内の表示も変化する。
【００３０】
例えば、図３においては、Ｎｏ．１〜Ｎｏ．３のかごの全てが１０階に位置している。このため、各かごの位置に対応した階間の階は存在しない。この場合、中間階表示領域が割り当てられることはない。
【００３１】
一方、最下階とＮｏ．１〜Ｎｏ．３のかごが位置する１０階との間には、２階〜９階の８階床が存在する。このため、「１Ｆ」と「１０Ｆ」との間には、中間階表示領域２０が割り当てられる。この中間階表示領域２０には、「（８）」が表示される。
【００３２】
また、Ｎｏ．１〜Ｎｏ．３のかごが位置する１０階と最上階との間には、１１階〜６３階の５３階床が存在する。このため、「１０Ｆ」と「６４Ｆ」との間にも、中間階表示領域２０が割り当てられる。この中間階表示領域２０には、「（５３）」が表示される。
【００３３】
これに対し、図４においては、Ｎｏ．２のかごが１階に位置している。この１階は、最下階である。最下階は、もともと、最端階記号１３として表示されている。このため、この点で、図３に対し、存在階記号１５を表示させる領域が増えることはない。
【００３４】
しかしながら、Ｎｏ．３のかごは、１１階に位置している。図３においては、１１階を表す存在階記号１５を表示させる領域は形成されていない。このため、「１０Ｆ」の直上に、１つの領域が追加される。この領域に、「１１Ｆ」が表示される。すなわち、図３に対し、存在階記号１５を表示させる領域が１つ増えることになる。
【００３５】
この際、Ｎｏ．３のかごが、最も最上階側のかごとなる。このＮｏ．３のかごが位置する１１階と最上階との間には、１２階〜６３階の５２階床が存在する。このため、「１１Ｆ」と「６４Ｆ」との間の中間階表示領域２０には、「（５２）」が表示される。すなわち、図３に対し、中間階表示領域２０に表示された数が１つ減ることになる。
【００３６】
なお、本実施の形態においては、中間階表示領域２０が割り当てられた階に対し、１つでもかご呼びが発生した場合、中間階表示領域２０の水平方向に、かご呼び記号１９が表示される。例えば、図３と図４は、Ｎｏ．３のエレベーターに対し、３階のかご呼びが発生している状態を示している。この場合、「１Ｆ」と「１０Ｆ」との間の中間階表示領域２０の水平方向に、かご呼び記号１９が表示される。
【００３７】
次に、図５〜図１０を用いて、Ｎｏ．１〜Ｎｏ．３のかごが同一階にいる状態からＮｏ．１のかごがかご呼びに応答する場合を説明する。
図５〜図１０はこの発明の実施の形態１におけるエレベーターの監視装置を利用したときのモニタの画面の変化を説明するための図である。
【００３８】
図５においては、Ｎｏ．１〜Ｎｏ．３のかごの全てが１０階に位置している。この状態から、Ｎｏ．１のかごが６４階のかご呼びに応答する場合を考える。この場合、図３と同様に、「１Ｆ」と「１０Ｆ」との間の中間階表示領域２０には、「（８）」が表示される。また、「１０Ｆ」と「６４Ｆ」との間の中間階表示領域２０には、「（５３）」が表示される。
【００３９】
その後、図６に示すように、Ｎｏ．１のかごが１１階に上昇すると、「１０Ｆ」の直上に、１つの領域が割り当てられる。この領域に、「１１Ｆ」が表示される。この「１１Ｆ」の水平方向かつ「Ｎｏ．１」の下方に、Ｎｏ．１のかごを表すかご記号１６が表示される。このとき、Ｎｏ．２、Ｎｏ．３のかごが位置する階とＮｏ．１のかごが位置する階との間には、階床が存在しない。このため、「１０Ｆ」と「１１Ｆ」との間に、中間階表示領域２０が割り当てられることはない。
【００４０】
この際、Ｎｏ．１のかごが、最も最上階側のかごとなる。このＮｏ．１のかごが位置する階と最上階との間の階床数は、５３階床から５２階床に減る。このため、「１１Ｆ」と「６４Ｆ」との間の中間階表示領域２０の表示は、「（５３）」から「（５２）」に切り替わる。
【００４１】
その後、図７に示すように、Ｎｏ．１のかごが１２階に上昇すると、階床表示領域８の下方かつＮｏ．１のかごを表すかご記号１６の水平方向の存在階記号１５が、「１１Ｆ」から「１２Ｆ」に切り替わる。このとき、Ｎｏ．２、Ｎｏ．３のかごが位置する階とＮｏ．１のかごが位置する階との間には、１１階の１階床が存在する。このため、「１０Ｆ」と「１２Ｆ」との間に、中間階表示領域２０が割り当てられる。この中間階表示領域２０には、「（１）」が表示される。
【００４２】
この際、Ｎｏ．１のかごが位置する階と最上階との間の階床数は、５２階床から５１階床に減る。このため、「１２Ｆ」と「６４Ｆ」との間の中間階表示領域２０の表示は、「（５２）」から「（５１）」に切り替わる。
【００４３】
その後、図８に示すように、Ｎｏ．１のかごが１３階に上昇すると、階床表示領域８の下方かつＮｏ．１のかごを表すかご記号１６の水平方向の存在階記号１５が、「１２Ｆ」から「１３Ｆ」に切り替わる。このとき、Ｎｏ．２、Ｎｏ．３のかごが位置する階とＮｏ．１のかごが位置する階との間の階床数は、１階床から２階床に増える。このため、「１０Ｆ」と「１３Ｆ」の間の中間階表示領域２０の表示は、「（１）」から「（２）」に切り替わる。
【００４４】
この際、Ｎｏ．１のかごが位置する階と最上階との間の階床数は、５１階床から５０階床に減る。このため、「１３Ｆ」と「６４Ｆ」との間の中間階表示領域２０の表示は、「（５１）」から「（５０）」に切り替わる。
【００４５】
その後、Ｎｏ．１のかごが１階床分上昇する度に、階床表示領域８の下方かつＮｏ．１のかごを表すかご記号１６の水平方向の存在階記号１５は、対応した階を表す記号に切り替わる。これに伴い、Ｎｏ．２、Ｎｏ．３のかごを表す存在階記号１５とＮｏ．１のかごを表す存在階記号１５との間では、中間階表示領域２０に表示される数が１つ増える。これと同時に、Ｎｏ．１のかごを表す存在階記号１５と最端階記号１４との間では、中間階表示領域２０に表示される数が１つ減る。
【００４６】
その後、図９に示すように、Ｎｏ．１のかごが６３階まで上昇すると、階床表示領域８の下方かつＮｏ．１のかごを表すかご記号１６の水平方向の存在階記号１５が、「６３Ｆ」に切り替わる。このとき、Ｎｏ．２、Ｎｏ．３のかごが位置する階とＮｏ．１のかごが位置する階との間には、１１階〜６２階の５２階床が存在する。このため、「１０Ｆ」と「６３Ｆ」の間の中間階表示領域２０の表示は、「（５２）」に切り替わる。
【００４７】
この際、Ｎｏ．１のかごが位置する階と最上階との間には、階床が存在しない。このため、「６３Ｆ」と「６４Ｆ」との間から、中間階表示領域２０が消去される。
【００４８】
その後、図１０に示すように、Ｎｏ．１のかごが６４階に到着すると、Ｎｏ．１のかごが位置する階と最上階とが一致する。このため、Ｎｏ．１のかごが位置する階と最上階とは、１つの領域内で「６４Ｆ」として表示される。
【００４９】
この際、Ｎｏ．２、Ｎｏ．３のかごが位置する階とＮｏ．１のかごが位置する階床数は、５２階床から５３階床に増える。このため、「１０Ｆ」と「６４Ｆ」との間の中間階表示領域２０の表示は、「（５２）」から「（５３）」に切り替わる。
【００５０】
次に、図１１〜図１４を用いて、Ｎｏ．２のかごがＮｏ．１のかごの停止階へ移動する場合を説明する。
図１１〜図１４はこの発明の実施の形態１におけるエレベーターの監視装置を利用したときのモニタの画面の変化を説明するための図である。
【００５１】
図１１では、Ｎｏ．１のかごは、１３階に位置している。これに対し、Ｎｏ．２、Ｎｏ．３のかごは、１０階に位置している。この状態から、Ｎｏ．２のかごがＮｏ．１のかごの停止階へのかご呼びに応答する場合を考える。この場合、最下階とＮｏ．２、Ｎｏ．３のかごが位置する階との間には、２階〜９階の８階床が存在する。このため、「１Ｆ」と「１０Ｆ」との間の中間階表示領域２０には、「（８）」が表示される。
【００５２】
また、Ｎｏ．１のかごが位置する階とＮｏ．２、Ｎｏ．３のかごが位置する階との間には、１１階、１２階の２階床が存在する。このため、「１０Ｆ」と「１３Ｆ」との間の中間階表示領域２０には、「（２）」が表示される。また、Ｎｏ．１のかごが位置する階と最上階との間には、１４階〜６３階の５０階床が存在する。このため、「１３Ｆ」と「６４Ｆ」との間の中間階表示領域２０には、「（５０）」が表示される。
【００５３】
その後、図１２に示すように、Ｎｏ．２のかごが１１階に上昇すると、「１０Ｆ」の直上に、１つの領域が割り当てられる。この領域に、「１１Ｆ」が表示される。この「１１Ｆ」の水平方向かつ「Ｎｏ．２」の下方に、Ｎｏ．２のかごを表すかご記号１６が表示される。このとき、Ｎｏ．３のかごが位置する階とＮｏ．２のかごが位置する階との間には、階床が存在しない。このため、「１０Ｆ」と「１１Ｆ」との間に、中間階表示領域２０が割り当てられることはない。
【００５４】
この際、Ｎｏ．２のかごが位置する階とＮｏ．１のかごが位置する階との間の階床数は、２階床から１階床に減る。このため、「１１Ｆ」と「１３Ｆ」との間の中間階表示領域２０の表示は、「（２）」から「（１）」に切り替わる。
【００５５】
その後、図１３に示すように、Ｎｏ．２が１２階に上昇すると、階床表示領域８の下方かつＮｏ．２のかごを表すかご記号１６の水平方向の存在階記号１５が、「１１Ｆ」から「１２Ｆ」に切り替わる。このとき、Ｎｏ．２のかごが位置する階とＮｏ．１のかごが位置する階との間には、階床が存在しない。このため、「１１Ｆ」と「１２Ｆ」との間から、中間階表示領域２０が消去される。
【００５６】
これに対し、Ｎｏ．３のかごが位置する階とＮｏ．２のかごが位置する階との間には、１１階の１階床が存在する。このため、「１０Ｆ」と「１２Ｆ」の間には、中間階表示領域２０が割り当てられる。この中間階表示領域２０には、「（１）」が表示される。
【００５７】
その後、図１４に示すように、Ｎｏ．２のかごが１３階に到着すると、Ｎｏ．１のかご位置する階とＮｏ．２のかごが位置する階とが一致する。このため、Ｎｏ．１のかご位置する階とＮｏ．２のかごが位置する階とは、１つの領域内で「１３Ｆ」として表示される。
【００５８】
この際、Ｎｏ．３のかごが位置する階とＮｏ．２のかごが位置する階との間の階床数は、１階床から２階床に増える。このため、「１０Ｆ」と「１３Ｆ」との間の中間階表示領域２０の表示は、「（１）」から「（２）」に切り替わる。
【００５９】
以上で説明した実施の形態１によれば、複数の存在階記号１５の間には、中間階表示領域２０が割り当てられる。これらの中間階表示領域２０は、各かごの位置に対応した階間の階の各々を表す複数の記号を並べて表示させる場合よりも、複数の存在階記号１５の並び方向に圧縮される。このため、昇降路画面全体を縮小表示したり、スクロール表示させたりすることなく、エレベーターのかご同士の位置関係を把握することができる。
【００６０】
また、最も最端階側のかごに対応した存在階記号１５と最端階記号１３、１４との間にも、中間階表示領域２０が割り当てられる。これらの中間階表示領域２０は、最も最端階側のかごに対応した階と最端階との間の階の各々を表す複数の記号を並べて表示させる場合よりも圧縮される。このため、エレベーターが設置された建物に対するかごの相対位置を把握しつつ、昇降路画面の高さを低くすることができる。
【００６１】
さらに、かごの位置の変化に応じて、存在階記号１５の表示、かご記号１６の表示、中間階表示領域２０が変化する。このため、エレベーターの運行中でも、エレベーターのかご同士の位置関係を把握することができる。
【００６２】
加えて、中間階表示領域２０が割り当てられた階にかご呼びが発生したときは、中間階表示領域２０に対応付けて、かご呼び記号１９が表示される。このため、エレベーターの運行状態をより確実に把握することができる。
【００６３】
また、中間階表示領域２０には、割り当てられた階床の数が表示される。このため、各かごの相対位置をより確実に把握することができる。
【００６４】
なお、必ずしも、中間階表示領域２０に、中間階表示領域２０を割り当てられた階床の数を表示させる必要はない。この場合でも、エレベーターのかご同士の位置関係を把握することはできる。
【００６５】
実施の形態２．
図１５と図１６はこの発明の実施の形態２におけるエレベーターの監視装置を利用したときのモニタの表示を説明するための図である。なお、実施の形態１と同一又は相当部分には同一符号を付して説明を省略する。
【００６６】
実施の形態１においては、存在階記号１５間の中間階表示領域２０には、割り当てられた階床の数に関係なく、１つの領域が割り当てられていた。一方、実施の形態２においては、存在階記号１５間の中間階表示領域２０には、割り当てられた階を所定の階床数毎に分割した各々に対し、１つの領域が割り当てられる。
【００６７】
具体的には、中間階表示領域２０が割り当てられた階を１０階床毎に分割した各々に対し、１つの領域が割り当てられる。これらの領域は、表示の上では、集約される。この集約された領域の中央に、中間階表示領域２０に割り当てられた階床数が表示される。
【００６８】
図１５においては、Ｎｏ．１、Ｎｏ．３のかごが位置する階とＮｏ．２のかごが位置する階との間には、２階〜２８階の２７階床が存在する。このため、２階〜１１階、１２階〜２１階に、それぞれ、１つの領域２１、２２が割り当てられる。さらに、残りの２２階〜２８階にも、１つの領域２３が割り当てられる。
【００６９】
これに対し、図１６においては、Ｎｏ．１のかごが位置する階とＮｏ．２のかごが位置する階との間には、１１階〜６３階の５３階床が存在する。このため、１１階〜２０階、２１階〜３０階、３１階〜４０階、４１階〜５０階、５１階〜６０階に、それぞれ、１つの領域２４〜２８が割り当てられる。さらに、残りの６１階〜６３階にも、１つの領域２９が割り当てられる。
【００７０】
本実施の形態においては、分割された領域に対応した階にかご呼びが発生した場合、分割された領域の水平方向かつ各エレベーター名称表示領域９〜１１の下方の領域に、かご呼び記号１９が表示される。
【００７１】
例えば、図１６で、Ｎｏ．１のエレベーターに対し４５階のかご呼びが発生すると、４１階〜５０階が割り当てられた領域２７の水平方向かつＮｏ．１のエレベーター名称表示領域９の下方の領域に、かご呼び記号１９が表示される。
【００７２】
以上で説明した実施の形態２によれば、中間階表示領域２０に割り当てられた階を所定の階床数毎に分割した各々に対し、中間階表示領域２０を分割した領域が割り当てられる。このため、各かごの相対位置をより確実に把握することができる。
【００７３】
実施の形態３．
図１７〜図２０はそれぞれこの発明の実施の形態３におけるエレベーターの監視装置を利用したときのモニタの画面の変化を説明するための図である。なお、実施の形態１と同一又は相当部分には同一符号を付して説明を省略する。
【００７４】
実施の形態１においては、各かごの位置に対応した階の間の階等を表すために、中間階表示領域２０が形成されていた。一方、実施の形態３においては、中間階表示領域２０が形成されない。以下、実施の形態３におけるモニタ３の画面の変化を具体的に説明する。
【００７５】
図１７においては、Ｎｏ．１〜Ｎｏ．３のかごの全てが１０階に位置している。この状態から、Ｎｏ．１のかごが６４階のかご呼びに応答する場合を考える。この場合、実施の形態１と異なり、「１Ｆ」と「１０Ｆ」との間に、中間階表示領域２０は形成されない。また、「１０Ｆ」と「６４Ｆ」との間にも、中間階表示領域２０は形成されない。
【００７６】
その後、図１８に示すように、Ｎｏ．１のかごが１１階に上昇すると、「１０Ｆ」の直上かつ「６４Ｆ」の直下に、１つの領域が割り当てられる。この領域に、「１１Ｆ」が表示される。この「１１Ｆ」の水平方向かつ「Ｎｏ．１」の下方に、Ｎｏ．１のかごを表すかご記号１６が表示される。
【００７７】
その後、図１９に示すように、Ｎｏ．１のかごが１２階に上昇すると、階床表示領域８の下方かつＮｏ．１のかごを表すかご記号１６の水平方向の存在階記号１５が、「１１Ｆ」から「１２Ｆ」に切り替わる。このとき、Ｎｏ．２、Ｎｏ．３のかごが位置する階とＮｏ．１のかごが位置する階との間には、１１階の１階床が存在する。
【００７８】
しかしながら、本実施の形態においては、「１０Ｆ」と「１２Ｆ」との間には、中間階表示領域２０は形成されない。
【００７９】
その後、Ｎｏ．１のかごが１階床分上昇する度に、階床表示領域８の下方かつＮｏ．１のかごを表すかご記号１６の水平方向の存在階記号１５が、対応した階を表す記号に切り替わる。
【００８０】
その後、図２０に示すように、Ｎｏ．１のかごが６４階に到着すると、Ｎｏ．１のかごが位置する階と最上階とが一致する。このため、Ｎｏ．１のかごが位置する階と最上階とは、１つの領域内で「６４Ｆ」として表示される。
【００８１】
以上で説明した実施の形態３によれば、実施の形態１〜２で形成されていた中間階表示領域２０が消去される。このため、実施の形態１〜２よりも昇降路画面の高さを低くすることができる。
【産業上の利用可能性】
【００８２】
以上のように、この発明に係るエレベーターの監視装置によれば、かご同士の位置関係を把握するエレベーターに利用できる。
【符号の説明】
【００８３】
１  エレベーター制御装置
２  エレベーター監視装置
３  モニタ
４  エレベーター状態データ受信部
５  記憶部
６  監視画面データ作成部
７  監視画面データ出力部
８  階床表示領域
９〜１１  エレベーター名称表示領域
１２  マトリクス領域
１３、１４  最端階記号
１５  存在階記号
１６、１７  かご記号
１８  進行方向記号
１９  かご呼び記号
２０  中間階表示領域
２１〜２９  領域
【図１】
0005494805.tif 000002
【図２】
0005494805.tif 000003
【図３】
0005494805.tif 000004
【図４】
0005494805.tif 000005
【図５】
0005494805.tif 000006
【図６】
0005494805.tif 000007
【図７】
0005494805.tif 000008
【図８】
0005494805.tif 000009
【図９】
0005494805.tif 000010
【図１０】
0005494805.tif 000011
【図１１】
0005494805.tif 000012
【図１２】
0005494805.tif 000013
【図１３】
0005494805.tif 000014
【図１４】
0005494805.tif 000015
【図１５】
0005494805.tif 000016
【図１６】
0005494805.tif 000017
【図１７】
0005494805.tif 000018
【図１８】
0005494805.tif 000019
【図１９】
0005494805.tif 000020
【図２０】
0005494805.tif 000021